(57)【要約】【課題】少ない人員で、田植え作業と、苗支持部材の洗浄とを実施できるようにする。【解決手段】苗載せ台１２と、苗載せ台１２へ補給するマット状の苗を載置自在な予備苗載せ台５５と、を備え、予備苗載せ台５５の上で苗を支持自在な苗支持部材Ｎを備え、予備苗載せ台５５に載置した状態の苗支持部材Ｎを洗浄する洗浄装置Ｓが備えられている。【選択図】図１
2017112878.tif 000002
【特許請求の範囲】
【請求項１】
苗載せ台と、
前記苗載せ台へ補給するマット状の苗を載置自在な予備苗載せ台と、を備え、
前記予備苗載せ台の上で前記苗を支持自在な苗支持部材を備え、
前記予備苗載せ台に載置した状態の前記苗支持部材を洗浄する洗浄装置が備えられている田植機。
【請求項２】
前記洗浄装置は、
前記予備苗載せ台の上方に位置して下方に放水自在なシャワーノズルと、
前記シャワーノズルに洗浄水を供給自在な貯水供給装置と、
前記予備苗載せ台に載置した状態の前記苗支持部材に当接自在な駆動ブラシと、を備えている請求項１に記載の田植機。
【請求項３】
前記予備苗載せ台は、上下に間隔をあけて複数段備えてあり、
上下に隣接する前記予備苗載せ台のうち、上に位置する前記予備苗載せ台の下部に前記シャワーノズルが設けられている請求項２に記載の田植機。
【請求項４】
前記予備苗載せ台は、その複数を、機体の前後方向に沿って縦列配置してあり、
前記予備苗載せ台に載置した状態の前記苗支持部材を、前記予備苗載せ台の縦列方向に沿って搬送自在な搬送機構を備えている請求項１〜３の何れか一項に記載の田植機。
【請求項５】
前記搬送機構は、ベルトコンベヤである請求項４に記載の田植機。
【発明の詳細な説明】
【技術分野】
【０００１】
本発明は、苗載せ台と、苗載せ台へ補給するマット状の苗を載置自在な予備苗載せ台と、を備えている田植機に関する。
【背景技術】
【０００２】
従来、この種の田植機としては、予備苗載せ台の上でマット状の苗を支持自在な育苗箱（苗支持部材に相当）を備えたものがあった（例えば、特許文献１参照）。
【先行技術文献】
【特許文献】
【０００３】
【特許文献１】特開２０１３−９６１４号公報（図７）
【発明の概要】
【発明が解決しようとする課題】
【０００４】
上述した従来の田植機によれば、育苗箱には、マット状の苗が載置状態に収容され、その状態で、予備苗載せ台の上に配置されている。そして、育苗箱の苗を苗載せ台に移し替えるには、すくい板を、育苗箱の底と苗との間に差し込んで、苗をすくい上げて、苗載せ台の上に移すことが実施されている。
また、苗を移動させて空になった予備苗載せ台は、その底に、苗に付着していた泥が残っているから、洗い流す必要があり、苗補充等で田植機が畦に戻った時に、汚れた育苗箱をまとめて回収し、洗い場に運んで水洗いしている。
【０００５】
即ち、田植機に搭乗して田植え作業を行う人員の他に、育苗箱を洗浄する人員が必要となり、多くの人員が必要となる問題点があった。
【０００６】
従って、本発明の目的は、上記問題点を解消し、少ない人員で、田植え作業と、苗支持部材の洗浄とを実施できる田植機を提供するところにある。
【課題を解決するための手段】
【０００７】
本発明の特徴は、苗載せ台と、前記苗載せ台へ補給するマット状の苗を載置自在な予備苗載せ台と、を備え、前記予備苗載せ台の上で前記苗を支持自在な苗支持部材を備え、前記予備苗載せ台に載置した状態の前記苗支持部材を洗浄する洗浄装置が備えられているところにある。
【０００８】
本発明によれば、予備苗載せ台に載置した状態の苗支持部材を洗浄する洗浄装置が備えられているから、空になった苗支持部材を、田植機の予備苗載せ台に載せたまま、洗浄装置で洗浄することができる。
従って、田植機に乗車して田植え作業を行う人員によって、田植え作業と並行して、苗支持部材の洗浄を行うことができる。
【０００９】
その結果、田植え作業と、苗支持部材の洗浄とを、少ない人員で、且つ、効率的に実施できるようになる。
【００１０】
本発明においては、前記洗浄装置は、前記予備苗載せ台の上方に位置して下方に放水自在なシャワーノズルと、前記シャワーノズルに洗浄水を供給自在な貯水供給装置と、前記予備苗載せ台に載置した状態の前記苗支持部材に当接自在な駆動ブラシと、を備えていると好適である。
【００１１】
本構成によれば、貯水供給装置からの洗浄水を、予備苗載せ台の上方から、シャワーノズルで下方に放水することができるから、予備苗載せ台に載せられた苗支持部材に、満遍なく洗浄水を掛けることができる。更には、苗支持部材に付着した汚れを、駆動ブラシによって擦り落とせるから、ひどい泥汚れでも、より確実に洗浄できる。
【００１２】
本発明においては、前記予備苗載せ台は、上下に間隔をあけて複数段備えてあり、上下に隣接する前記予備苗載せ台のうち、上に位置する前記予備苗載せ台の下部に前記シャワーノズルが設けられていると好適である。
【００１３】
本構成によれば、シャワーノズルを支持するための専用の支持部を設けなくても、上下に隣接する予備苗載せ台のうち、上に位置する予備苗載せ台が、シャワーノズルの支持部を兼用することができ、簡単な構造を採用できると共に、コストアップを抑制することができる。
【００１４】
本発明においては、前記予備苗載せ台は、その複数を、機体の前後方向に沿って縦列配置してあり、前記予備苗載せ台に載置した状態の前記苗支持部材を、前記予備苗載せ台の縦列方向に沿って搬送自在な搬送機構を備えていると好適である。
【００１５】
本構成によれば、縦列配置された予備苗載せ台の縦列方向一端（又は他端）側から他端（又は一端）側へ、搬送機構によって苗支持部材を搬送することができる。
従って、外部から予備苗載せ台への苗の補給時や、予備苗載せ台から苗載せ台への苗の補給時に、効率よく苗支持部材を移動させることができる。
【００１６】
また、洗浄装置による苗支持部材の洗浄時においても、搬送機構によって苗支持部材を、予備苗載せ台の縦列方向に沿って移動させることができるから、各苗支持部材を、洗浄装置の位置に順次導いて、効率的に洗浄を行える。
【００１７】
以上の結果、より少ない人員で、苗の補給や、苗支持部材の洗浄を実施できるようになり、経済的な運行が可能となる。
【００１８】
本発明においては、前記搬送機構は、ベルトコンベヤであると好適である。
【００１９】
本構成によれば、ベルトの長い載置範囲で支持しながら苗支持部材を搬送できるから、洗浄水が掛かっても滑り難く、より確実に搬送することができる。
また、ベルトによって搬送機構の駆動部を囲うことができ、洗浄水や泥が搬送機構の駆動部に掛かり難くなり、搬送機構の作動不良を防止し易い。
【図面の簡単な説明】
【００２０】
【図１】乗用田植機の全体左側面図である。
【図２】乗用田植機の全体平面図である。
【図３】予備苗載置装置の平面図である。
【図４】洗浄装置を示す左側面図である。
【図５】洗浄装置を示す正面図である。
【図６】別実施形態の予備苗載せ台を示す斜視図である。
【図７】別実施形態の予備苗載せ台を示す左側面図である。
【図８】別実施形態の予備苗載せ台を示す左側面図である。
【図９】別実施形態の予備苗載せ台を示す左側面図である。
【図１０】別実施形態の予備苗載せ台を示す分解斜視図である。
【発明を実施するための形態】
【００２１】
以下、本発明を実施するための形態の一例として、本発明に係る田植機の一例である６条植え乗用田植機を図面に基づいて説明する。
【００２２】
図１、図２に示すように、本実施形態で例示する乗用田植機は、４輪駆動型に構成した走行車体１の後部に、単動型の油圧シリンダを採用した昇降シリンダ２の作動で上下揺動する平行四連リンク式のリンク機構３を装備し、このリンク機構３の後端部に８条用の苗植付装置４を連結してある。又、走行車体１の後端部に８条用の施肥装置５を搭載してある。
【００２３】
走行車体１は、前車軸ケース６よりも車体前側に配備した前部フレーム７にエンジン８を防振搭載してあり、このエンジン８からの動力を主変速装置としての静油圧式無段変速装置（図示せず）にベルト伝動し、静油圧式無段変速装置による変速後の動力を、トランスミッションケース（以下、Ｔ／Ｍケースと称する）９の内部において走行用と作業用とに分岐する。
【００２４】
そして、走行用の動力は、Ｔ／Ｍケース９に副変速装置として内蔵した走行用のギア式変速装置（図示せず）などを介して左右の前輪１０及び左右の後輪１１に伝達する。又、作業用の動力は、Ｔ／Ｍケース９に株間変速装置として内蔵した作業用のギア式変速装置（図示せず）及び植付クラッチ（図示せず）などを介して苗植付装置４に伝達する。施肥装置５には、走行用のギア式変速装置による変速後の動力を施肥作業用として伝達してある。
【００２５】
苗植付装置４は、走行車体１からの作業用の動力により、最大８条のマット状苗を載置する苗載せ台１２が横送り機構（図示せず）の作動で左右方向に一定ストロークで往復移動するように構成してある。
【００２６】
又、苗載せ台１２の各マット状苗に対応して左右方向に一定間隔をあけて並ぶように配備したロータリ式の６基の植付機構１３が、苗載せ台１２の下端から植付苗を所定量ずつ取り出して、左右方向に並ぶ３つの整地フロート１４で整地した圃場の泥土部に植え付け供給するように構成してある。
【００２７】
そして、苗載せ台１２が左右のストローク端に到達するごとにベルト式の縦送り機構１５が作動して、苗載せ台１２に載置した各マット状苗を苗載せ台１２の下端に向けて所定ピッチで縦送りするように構成してある。
【００２８】
図１、図２に示すように、走行車体１の後半部には搭乗運転部３１を形成してある。搭乗運転部３１には、前輪操舵用のステアリングホイール３２及び運転座席３３などを配備してある。搭乗運転部３１において、エンジン８を覆うボンネット３４の後方箇所には施肥装置５よりも左右幅の狭い搭乗ステップ３５を敷設してある。
【００２９】
又、ボンネット３４の左右の横外側には、走行車体１の前端部からの乗降を可能にする乗降ステップ３６を搭乗ステップ３５と同じ高さで搭乗ステップ３５に連なる状態で敷設してある。走行車体１の後部には、苗載せ台１２への苗補給時や施肥装置５への肥料補給時に踏み台として使用可能な後部ステップ３７を敷設してある。
【００３０】
搭乗ステップ３５及び乗降ステップ３６に対する横方向の車体外側には、搭乗領域の左右幅を施肥装置５よりも幅広に拡張する拡張ステップ３８を、それらのステップ面が同じ高さになる状態で配備してある。左右の拡張ステップ３８の後方には、苗載せ台１２への苗補給時や施肥装置５への肥料補給時に踏み台として使用可能な補助ステップ３９を配備してある。
【００３１】
図３〜５に示すように、走行車体１の前部において、左右の乗降ステップ３６に対する横方向の車体外側には、それぞれ、予備苗を育苗箱（苗支持部材の一例）Ｎごと載置する予備苗載置装置４４を配備してある。左右の予備苗載置装置４４は、走行車体１から延出した支持フレーム４５の上半部に予備苗載置部４６を高さ調節可能にボルト連結して構成してある。
【００３２】
因みに、育苗箱Ｎは、長方形の底板部と、その外周からそれぞれ立ち上がった外周縁部とを備えて構成されている。
育苗箱Ｎに収容されたマット状の予備苗を、苗載せ台１２へ移す時には、育苗箱Ｎの底板と予備苗との間に差し込んで掬い上げる掬い板を使用して移動させることができる。
【００３３】
支持フレーム４５は、前部フレーム７から延出した丸パイプ材からなる前支柱４７、及び、前車軸ケース６に立設したブラケット４８から延出した丸パイプ材からなる後支柱４９、などを備えて構成してある。
【００３４】
予備苗載置部４６は、前後の支柱４７，４９にわたる上下の二段のフレーム５０，５７を備えている。
下段のフレームは、支柱４７，４９の上下中間部にわたって高さ調節可能にボルト連結した丸パイプ材などからなる下段固定フレーム５０と、その下段固定フレーム５０に連結された前可動フレーム５２、及び、後可動フレーム５４とを備えている。
【００３５】
前可動フレーム５２は、丸パイプ材などから構成され、下段固定フレーム５０の左右の前端部にそれぞれ備えた左右向きの連結軸５１を介して、それら連結軸５１を支点にした相対揺動が可能となる状態に連結されている。
後可動フレーム５４は、丸パイプ材などから構成され、下段固定フレーム５０の左右の後端部にそれぞれ備えた左右向きの連結軸５３を介して、それら連結軸５３を支点にした相対揺動が可能となる状態に連結されている。
従って、下段固定フレーム５０に対して、各可動フレーム５２，５４を揺動させることで、展開させた状態（図２参照）や、折り畳んだ状態（図１参照）に切り替えることができる。
【００３６】
上段のフレームは、支柱４７，４９の上端部にわたって着脱自在にボルト連結した丸パイプ材などからなる上段固定フレーム５７を備えている。
【００３７】
各フレーム５０，５２，５４，５７の上面には、予備苗の左右方向への移動を阻止しながら前後方向への移動を許容する前後方向視「Ｕ」字状に形成した樹脂製の予備苗載せ台５５を、それぞれビス止めしてある。各予備苗載せ台５５には、予備苗の前後方向での移動を円滑にする６つのローラ５６をそれぞれ装備してある。
【００３８】
また、予備苗載置装置４４には、予備苗載せ台５５に載置した状態の育苗箱Ｎを洗浄する洗浄装置Ｓが備えられている。
【００３９】
洗浄装置Ｓは、下方に放水自在なシャワーノズルＳ１と、シャワーノズルＳ１に洗浄水を供給自在なポンプ付タンク（貯水供給装置に相当）Ｓ２と、駆動ブラシＳ３と、を備えている。
【００４０】
シャワーノズルＳ１は、予備苗載せ台５５の全幅にわたる長さの穴あきパイプで本体部を構成してあり、ポンプ付タンクＳ２の吐出口Ｓ２ａとにわたってホース５８で連通接続してある。
また、シャワーノズルＳ１は、上段固定フレーム５７の下部に、予備苗載せ台５５の幅方向に沿わせて固定されている。従って、シャワーノズルＳ１から放水される水は、下方に位置する下段固定フレーム５０の予備苗載せ台５５の上に放水される。
【００４１】
ポンプ付タンクＳ２は、拡張ステップ３８の上に設置してあり、図には示さない電動ポンプによってタンク内の水を吐出口Ｓ２ａからシャワーノズルＳ１へ送水駆動できるように構成されている。
【００４２】
駆動ブラシＳ３は、図には示さないモータによって横軸芯周りに回転駆動自在に形成されており、上段固定フレーム５７に対して、その下方で前後に揺動自在に枢支連結された一対のアーム部材Ｓ３ａの先端部にわたって取り付けてある（図４参照）。
収納時には、アーム部材Ｓ３ａを上方に揺動させて、上段固定フレーム５７の下面に沿う状態にして固定しておくことで、邪魔にならない状態に収納できる。また、洗浄駆動時には、アーム部材Ｓ３ａを下方に揺動させることで、先端部の駆動ブラシＳ３を、下段固定フレーム５０の予備苗載せ台５５に載置されている育苗箱Ｎに当接させることができる。
【００４３】
従って、シャワーノズルＳ１からの散水と、駆動ブラシＳ３の回転駆動とによって、育苗箱Ｎを洗浄することができる。
また、他の育苗箱Ｎも、適宜、シャワーノズルＳ１の下方位置に移動させることで洗浄することができる。
【００４４】
当該実施形態の田植機によれば、空になった育苗箱Ｎを、田植機の予備苗載せ台５５に載せたまま、洗浄装置Ｓで洗浄することができるようになり、田植え作業と、育苗箱Ｎの洗浄とを、少ない人員で、且つ、効率的に実施できるようになる。
また、前述の洗浄装置Ｓを用いることで、ひどい泥汚れでも、より確実に洗浄できる。
更には、洗浄装置Ｓの支持は、予備苗載せ台５５を支持する支柱４７，４９を兼用できるから、簡単な構造を採用して、コストアップを抑制することができる。
【００４５】
〔別実施形態〕
以下に他の実施の形態を説明する。
【００４６】
〈１〉  田植機は、先の実施形態で説明した構成を備えたものに限るものではなく、適宜、変更することが可能で、例えば、８条植えに替えて、他の複数条植えに対応したものであってもよい。
また、予備苗載せ台５５の数や、構造、配置も、適宜変更することができる。
【００４７】
〈２〉  予備苗載せ台５５は、先の実施形態で説明した上段固定フレーム５７と下段固定フレーム５０とにそれぞれ取り付けられた上下二段配置のものに限らず、一段配置や、三段以上の複数段配置であってもよい。
また、前後方向に複数の予備苗載せ台５５を縦列状態に配置したり、前後方向に単独の予備苗載せ台５５を備えたもの等、適宜、それらの配置を設定することができる。
【００４８】
複数の予備苗載せ台５５を設けるにあたっては、先の実施形態で説明した形態に限るものではなく、例えば、図６に示すように、複数の予備苗載せ台５５の縦列方向に沿って苗支持部材Ｎを搬送自在な搬送機構Ｈを、設けてあってもよい。
図の実施形態においては、搬送機構Ｈは、ベルトコンベヤで構成してある。ベルトコンベヤは、複数の予備苗載せ台５５にわたる状態に設けてあったり、各予備苗載せ台５５毎に設けてあってもよい。尚、搬送機構Ｈは、ベルトコンベヤに限らず、例えば、チェーンコンベヤや、ローラコンベヤや、レールを敷設してその上を駆動車輪で走行する機構等、公知の搬送機構Ｈを採用することができる。
【００４９】
また、駆動は、エンジンの駆動力を伝動機構Ｈａを経由して受ける方式や、電動モータ（不図示）を内蔵した方式等を採用することができる。
尚、駆動源の選択に関しては、洗浄装置Ｓの場合も、搬送機構Ｈと同様に、電動モータ方式やエンジン方式等を、適宜、選択することができる。
【００５０】
また、予備苗載せ台５５は、図７に示すように、観覧車のゴンドラと同様の支持形態で、横軸芯Ｘ周りに循環自在に設けてあってもよい。この実施形態は、乗用田植機の側面視において、中央部を横軸芯Ｘ周りに回転自在に枢支されたハブ部５９ａと、ハブ部５９ａから放射状に延びる複数のフレーム部５９ｂと、を備えた、左右一対の支持フレーム５９を設け、左右で対応する各フレーム部５９ｂの先端部間にわたって、予備苗載せ台５５を枢支連結してある。
従って、支持フレーム５９を、横軸芯Ｘ周りに回転させることで、予備苗載せ台５５を、支持フレーム５９の回転軌跡上の任意の位置に、順次、移動させることができる。
この実施形態によれば、予備苗載せ台５５への苗補給や、予備苗載せ台５５から苗載せ台１２への苗補給を、作業者の立ち位置を変更せずに、同じ位置に立ったまま実施することが可能となる。
【００５１】
また、予備苗載せ台５５は、図８に示すように、上下に間隔をあけて配置する縦配置（実線表示）と、前後方向に沿って縦列状態に並ぶ横配置（破線表示）とに、位置変更自在に形成してあってもよい。
この実施形態は、乗用田植機の側面視において、上下に隣接する三つの予備苗載せ台５５にわたって、複数の屈曲アーム６０を連設し、隣接する予備苗載せ台５５と屈曲アーム６０とでリンク構造を形成することで、上段・下段の予備苗載せ台５５を、中段の予備苗載せ台５５の前又は後に位置する前記横配置に配置換えすることができる。
この実施形態によれば、予備苗載せ台５５を、必要に応じて前記縦配置にすることで、当該乗用田植機への作業者の乗降路を確保できながら、前記横配置にすることで、予備苗載せ台５５上を、縦列方向に苗支持部材Ｎを移動させることができる。
【００５２】
また、予備苗載せ台５５は、図９に示すように、上下に二段配置で、前後方向に沿って逆方向に移動自在に構成してあってもよい。
この実施形態は、上下段それぞれの予備苗載せ台５５を、前後にスライド自在に設け、前後逆方向に従動させるリンク機構（例えば、チェーン等）を、両予備苗載せ台５５にわたって設けることで、例えば、上下何れか一方に位置する予備苗載せ台５５を、後方（又は、前方）へ移動させると、他方に位置する予備苗載せ台５５が、前方（又は、後方）へ移動するから、作業者の立ち位置を変更せずに、同じ位置に立ったまま苗補給を実施できる。
【００５３】
〈３〉  苗支持部材Ｎは、先の実施形態で説明した育苗箱に限るものではなく、例えば、掬い板であってもよい。また、苗支持部材Ｎは、図１０に示すように、予備苗載せ台５５の上に沿わせて取付自在な苗支持板であってもよい。
この苗支持板は、マット状苗の搬送方向に沿った複数のリブ６１を、リブ幅方向に間隔をあけて並設してある。
従って、マット状苗を、苗支持板のリブ６１をガイドとして搬送方向に沿わせて滑らせることができる。
この実施形態のよれば、育苗箱や掬い板を使用しなくても苗補給を行え、育苗箱や掬い板の仮置きスペースを設ける必要がない。
【００５４】
〈４〉  洗浄装置Ｓは、先の実施形態で説明した構成に限るものではなく、適宜変更することができる。
例えば、シャワーノズルＳ１や、ポンプ付タンクＳ２や、駆動ブラシＳ３の何れか、又は、それらすべてについて、構造やメカニズムを変更することが可能である。
また、シャワーノズルＳ１の取付対象は、先の実施形態で説明した予備苗載せ台５５の下部に限るものではなく、専用の支持部材を設けるものであってもよい。
【００５５】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【産業上の利用可能性】
【００５６】
当該田植機の発明は、８条植え以外の複数条植えの田植機にも利用することができる。
【符号の説明】
【００５７】
１      走行車体（機体に相当）
１２    苗載せ台
５５    予備苗載せ台
Ｈ      搬送機構
Ｎ      育苗箱（苗支持部材の一例）
Ｓ      洗浄装置
Ｓ１    シャワーノズル
Ｓ２    ポンプ付タンク（貯水供給装置に相当）
Ｓ３    駆動ブラシ
【図１】
2017112878.tif 000003
【図２】
2017112878.tif 000004
【図３】
2017112878.tif 000005
【図４】
2017112878.tif 000006
【図５】
2017112878.tif 000007
【図６】
2017112878.tif 000008
【図７】
2017112878.tif 000009
【図８】
2017112878.tif 000010
【図９】
2017112878.tif 000011
【図１０】
2017112878.tif 000012